(57)【要約】【課題】電気掃除機の吸込具の前端側が被清掃面に先突きせず、使用者の手首に負担が掛かりにくい使い勝手のよい電気掃除機の吸込具を提供することを目的とする。【解決手段】吸込具本体と、吸込具本体の下面側に設けられ、被清掃面上の塵埃を吸い込むための吸込口と、吸込口内に収容された回転可能な回転ブラシと、吸込具本体に内包された回転ブラシに回転力を付加する電動機と、吸込具本体に回動自在に連結された継手管と、を備え、継手管は、継手管に設けられた回動軸部で吸込具本体と回動自在に連結され、電動機を吸込具本体の長手方向中央で、且つ前後方向の中心線上において、回動軸部よりも後方に配置した。【選択図】図９
2015167664.tif 000002
【特許請求の範囲】
【請求項１】
吸込具本体と、
該吸込具本体の下面側に設けられ、被清掃面上の塵埃を吸い込むための吸込口と、
該吸込口内に収容された回転可能な回転ブラシと、
前記吸込具本体に内包された前記回転ブラシに回転力を付加する電動機と、
前記吸込具本体に回動自在に連結された継手管と、を備え、
前記継手管は、該継手管に設けられた回動軸部で前記吸込具本体と回動自在に連結され、前記電動機を前記吸込具本体の長手方向中央で、且つ前後方向の中心線上において、前記回動軸部よりも後方に配置したことを特徴とする電気掃除機の吸込具。
【請求項２】
前記吸込具本体は、前記吸込口と連通する第１及び第２の風路を備え、
前記継手管に設けられた前記回動軸部は通気可能な中空構造となっていて、前記第１及び前記第２の風路は前記回動軸部とそれぞれ通気可能に連結され、前記第１及び前記第２の風路それぞれの入り口側となる開口は、前記中心線の左右両側位置で、且つ前記電動機と重ならない位置に設けられていることを特徴とする請求項１に記載の電気掃除機の吸込具。
【請求項３】
前記第１及び前記第２の風路は、前記電動機上方の前記継手管内で合流するようにしたことを特徴とする請求項２に記載の電気掃除機の吸込具。
【請求項４】
塵埃を吸い込むための吸引風を発生させる電動送風機と、
前記塵埃を収容するための集塵部を設けた掃除機本体と、
前記掃除機本体に接続されたホース体と、
前記ホース体に連結された取り回しのための把持部と、
前記把持部近傍に設けられ、前記電動送風機の切入及び強弱を操作する操作部と、
前記把持部に接続された延長管と、を備え、
請求項１〜請求項３いずれか１項に記載の電気掃除機の吸込具を備えたことを特徴とする電気掃除機。
【発明の詳細な説明】
【技術分野】
【０００１】
本発明は電気掃除機の吸込具、詳しくは回転ブラシを備えた吸込具に関し、さらにはこの吸込具を備えた電気掃除機に関する。
【背景技術】
【０００２】
電気掃除機の吸込具には、被清掃面から塵埃を掻き上げる回転ブラシを備えたものがあるが、吸込具本体に内包された回転ブラシに駆動力を与える電動機が、吸込具本体の長手（左右）方向において、いずれかに片寄った位置に配置されていたので、吸込具本体の中央に回動可能に連結された継手管を中心として、長手（左右）方向の重量バランスが悪く吸込具の操作性がよくなかった。
【０００３】
そこで従来、吸込具の長手（左右）方向の重量バランスをよくするために、吸込具本体の長手（左右）方向のほぼ中央に電動機を配置したもの（特許文献１参照）や、長手（左右）方向の両方に電動機を配置したもの（特許文献２参照）が提案されている。
【先行技術文献】
【特許文献】
【０００４】
【特許文献１】特開平６−２１７９０８号公報（第２頁、図１）
【特許文献２】特開２００１−２４５８３１号公報（第３頁、図１）
【発明の概要】
【発明が解決しようとする課題】
【０００５】
特許文献１に記載の従来の電気掃除機の吸込具は、吸込具本体の長手（左右）方向のほぼ中央で、吸込具本体と連結される継手管が軸支された支点の下方に電動機を配置するようにして、吸込具の長手（左右）方向の重量バランスを平均化している。
【０００６】
また、特許文献２に記載の従来の電気掃除機の吸込具は、吸込具本体の長手（左右）方向の両方にバランスよく電動機を配置するようにして、吸込具の長手（左右）方向の重量アンバランスを防止している。
【０００７】
しかしながら、吸込具本体と継手管は短手（前後）方向に回動するように回動軸で連結されており、特許文献１及び２に記載の従来の電気掃除機の吸込具では、長手（左右）方向の重量バランスは改善されているが、短手（前後）方向の重量バランスは考慮されていない。
【０００８】
よって、特許文献１及び２に記載の従来の電気掃除機の吸込具は、いずれも吸込具本体に連結された継手管の回動軸を中心に進行方向である前方側（継手管が連結されていない側）が重い構成となっている。
【０００９】
そのため、従来の電気掃除機の吸込具では、電気掃除機に接続した状態で被清掃面から吸込具を持ち上げると、吸込具本体に連結された継手管の回動軸を中心に進行方向である前方側（継手管が連結されていない側）が下がるように傾斜するので、再び被清掃面に吸込具を戻そうとすると前端が先突きしてしまう。
【００１０】
これにより、被清掃面がフローリングであるならば表面に傷を付けることがある、という課題があった。また、被清掃面がカーペットであるならば前端側が引っ掛るので操作性が悪くなり使用者の作業性が低下する、という課題があった。
【００１１】
さらに、吸込具本体に連結された継手管の回動軸を中心に進行方向である前方側（継手管が連結されていない側）、言い換えると最先端が重いため、電気掃除機に接続した状態で被清掃面から吸込具を持ち上げると、使用者の手首に負担が掛かる、という課題があった。
【００１２】
本発明は、以上のような課題を解決するためになされたもので、電気掃除機の吸込具の前端側が被清掃面に先突きせず、使用者の手首に負担が掛かりにくい使い勝手のよい電気掃除機の吸込具を提供することを目的とする。
【課題を解決するための手段】
【００１３】
課題を解決する本発明に係る電気掃除機の吸込具は、吸込具本体と、吸込具本体の下面側に設けられ、被清掃面上の塵埃を吸い込むための吸込口と、吸込口内に収容された回転可能な回転ブラシと、吸込具本体に内包された回転ブラシに回転力を付加する電動機と、吸込具本体に回動自在に連結された継手管と、を備え、継手管は、継手管に設けられた回動軸部で吸込具本体と回動自在に連結され、電動機を吸込具本体の長手方向中央で、且つ前後方向の中心線上において、回動軸部よりも後方に配置したものである。
【発明の効果】
【００１４】
本発明に係る電気掃除機の吸込具によれば、回転ブラシに回転力を付加する電動機を、吸込具本体に連結された継手管の回動軸部よりも後方に配置したので、回動軸を中心として吸込具本体は後方側が重くなり前方側が上がるように回動して傾斜するため、吸込具の前端が被清掃面に先突きすることがなくなり、フローリングの表面を傷付ける可能性が低減できる。また、被清掃面がカーペットである場合、カーペットに前端が引っ掛かりにくくなるので使用者が操り易く、手首に掛かる負担を軽減できる。
【図面の簡単な説明】
【００１５】
【図１】本発明の実施の形態１に係る電気掃除機の吸込具を電気掃除機に接続した状態を示す斜視図である。
【図２】電気掃除機本体を側面方向から見た断面図である。
【図３】（ａ）本発明の実施の形態１に係る電気掃除機の吸込具を上面方向から見た図、（ｂ）本発明の実施の形態１に係る電気掃除機の吸込具を下面方向から見た図である。
【図４】本発明の実施の形態１に係る電気掃除機の吸込具の斜視図である。
【図５】本発明の実施の形態１に係る電気掃除機の吸込具を、吸込具本体と継手管に分離した状態の斜視図である。
【図６】本発明の実施の形態１に係る電気掃除機の吸込具の、吸込具本体から上ケースを外した状態の斜視図である。
【図７】本発明の実施の形態１に係る電気掃除機の吸込具の、吸込具本体から上ケースを外して上面方向から見た図である。
【図８】本発明の実施の形態１に係る電気掃除機の吸込具の、吸込具本体に継手管を連結するためのカバーを外した状態の斜視図である。
【図９】（ａ）図３（ａ）に示すＡ−Ａ断面を被清掃面に置いて側面方向から見た断面図、（ｂ）図９（ａ）の状態から、吸込具を持ち上げた状態を側面方向から見た断面図である。
【図１０】本発明の実施の形態１に係る電気掃除機の吸込具から回転ブラシを取り外した状態を下面方向から見た図である。
【図１１】本発明の実施の形態１に係る電気掃除機の吸込具の空気の流れを表した模式図である。
【図１２】従来の電気掃除機の吸込具の概略風路を模式的に表した断面図である。
【図１３】本発明の実施の形態１に係る電気掃除機の吸込具の継手管を、吸込具本体と平行にした状態を上面方向から見た図である。
【図１４】本発明の実施の形態１に係る電気掃除機の吸込具の継手管を、吸込具本体と平行にした状態の斜視図である。
【発明を実施するための形態】
【００１６】
実施の形態１．
（全体の構成）
図１は本発明の実施の形態１に係る電気掃除機の吸込具を電気掃除機に接続した状態を示す斜視図、図２は電気掃除機本体を側面方向から見た断面図である。図１と図２により、本発明の実施の形態１に係る電気掃除機の吸込具が接続される電気掃除機全体の概略構成を説明する。
【００１７】
図１に示すように、本発明の実施の形態１に係る電気掃除機の吸込具１は延長管２、把持部３、ホース体５を介して電気掃除機本体６と接続されていて、全体として電気掃除機１００が構成される。
【００１８】
電気掃除機本体６の前側には、ホース体５を接続するための接続口７が設けられている。ホース体５を接続口７に接続することで、ホース体５と延長管２及び把持部３を介して接続される吸込具１は、後述する電気掃除機本体６に内包された電動送風機９が発生させる吸引風により、塵埃を含んだ空気を吸い込むことが可能となる。
【００１９】
また、電気掃除機本体６の上面後方には、ハンドル８が設けられている。これは電気掃除機本体６を持ち運ぶときに使用するためのもので、樹脂素材で形成されている。また、電気掃除機本体６の上面には、前方から後方に傾斜するように集塵部９が着脱自在に取付けられている。
【００２０】
集塵部９は、図２に示す電気掃除機本体６に内包された電動送風機１０が、把持部３に設けられた操作部４からの入力で駆動することにより発生する吸引風によって、吸込具１から吸い込んだ塵埃を含んだ空気から、塵埃と空気を分離して塵埃を捕集、収容するためのものである。
【００２１】
さらに、電気掃除機本体６には電動送風機１０の他、操作部４からの入力で電動送風機１０の駆動、出力増減等を制御するための制御基板１１、電動送風機１０等に電力を供給する図示しない電源コードを収納するためのコードリールも内包される。
【００２２】
電気掃除機本体６の接続口７に一端が接続されるホース体５は、蛇腹のような可撓性を有する軟質管で形成されている。ホース体５のもう一端は、把持部３の一端に接続される。把持部３は吸込具１を操ることと、掃除機本体６の取り廻しをするためのものであり、硬質の樹脂素材で形成されている。
【００２３】
把持部３には前述のように操作部４が設けられている。操作部４は図示しない複数の操作スイッチを有し、これら操作スイッチからの入力を受けて制御基板１１が電動送風機１０を駆動させる。駆動した電動送風機１０が吸引風を発生させることにより、塵埃を含んだ空気を吸い込むことが可能となる。
【００２４】
把持部３のもう一端は、延長管２の一端に接続される。延長管２は図示しないが伸縮構造を有しており、掃除をするとき、必要に応じて伸ばして使用することができるようになっていて、把持部３と同様、硬質の樹脂素材で形成されている。
【００２５】
延長管２のもう一端は、吸込具１に接続される。以降、図３から図８により本発明の実施の形態１に係る電気掃除機の吸込具の構成について詳しく説明する。
【００２６】
（吸込具の構成）
図３（ａ）は本発明の実施の形態１に係る電気掃除機の吸込具を上面方向から見た図、図３（ｂ）本発明の実施の形態１に係る電気掃除機の吸込具を下面方向から見た図、図４は本発明の実施の形態１に係る電気掃除機の吸込具の斜視図、図５は本発明の実施の形態１に係る電気掃除機の吸込具を、吸込具本体と継手管に分離した状態の斜視図、図６は本発明の実施の形態１に係る電気掃除機の吸込具の、吸込具本体から上ケースを外した状態の斜視図、図７は本発明の実施の形態１に係る電気掃除機の吸込具の、吸込具本体から上ケースを外して上面方向から見た図、図８は本発明の実施の形態１に係る電気掃除機の吸込具の、吸込具本体に継手管を連結するためのカバーを外した状態の斜視図、図９（ａ）は図３（ａ）に示すＡ−Ａ断面を被清掃面に置いて側面方向から見た断面図、図９（ｂ）は図９（ａ）の状態から、吸込具を持ち上げた状態を側面方向から見た断面図である。
なお、それぞれの図において、同じ部分または相当する部分には同じ符号を付し、一部の説明を省略する場合がある。
【００２７】
吸込具１は図３〜５に示すように、吸込具本体２１と継手管２２で、アルファベットのＴの字の様に構成されている。吸込具本体２１は、硬質の樹脂素材で形成された下ケース３１、同様に硬質の樹脂素材で形成された上ケース３０、及び硬質の樹脂素材で形成されて意匠性を考慮した外観を有するカバー３２で外郭が構成される。上ケース３０とカバー３２が吸込具本体２１の上面を構成する部材となる。
【００２８】
下ケース３１と上ケース３０の当接部には、軟質の樹脂素材で形成されたダンパー２９がその外周に取付けられている。ダンパー２９は、掃除のときに吸込具１が壁や家具等に当たっても、それらが傷付かないようにするためのものである。
【００２９】
吸込具本体２１の下面側には、下面部開口２５が設けられている。下面部開口２５は、床等の被清掃面から塵埃を吸い込むための開口である。下面部開口２５の内部には空間があり、その空間には被清掃面から塵埃を掻き揚げるための回転ブラシ２６が着脱自在に取付けられている。
【００３０】
回転ブラシ２６は図６及び図７に示すように、吸込具本体２１の中央で且つ進行方向から見て後方に内包され、下ケース３１に配置されたモーター３７によって回転力を得ている。モーター３７の回転力は、まず、モーター３７の回転軸に圧入されたギアからベルト３８に伝達される。
【００３１】
ベルト３８に伝達されたモーター３７の回転力は、プーリー連結軸４０の一端に圧入されたプーリー４６に伝達され、さらにプーリー連結軸４０の他端に圧入されたプーリー４７に伝達される。
【００３２】
さらにプーリー４７に掛けられたベルト３９に伝達され、ベルト３９から回転ブラシ２６の一端に連結されたギア４８に伝達されて回転ブラシ２６が回転し、被清掃面から塵埃を掻き上げて、より清掃性能の向上が図れる。
【００３３】
吸込具本体２１の下面側には、吸込具本体２１の下面から出没自在のスイッチ２８が設けられている。このスイッチ２８は、回転ブラシ２６を回転させるモーター３７の回転をオン、オフするためのものである。
【００３４】
回転ブラシ２６は被清掃面から塵埃を掻き上げるので、被清掃面に接触していないときに回転させると無駄な電力を消費したり、使用者が触れて危険であったりする。よって、吸込具本体２１が被清掃面から離れるとスイッチ２８は下面から突出してモーター３７がオフし、回転ブラシ２６の回転を停止させ、再び、吸込具本体２１を被清掃面に接触させると、スイッチ２８が没してモーター３７がオンし、回転ブラシ２６の回転を開始するようになっている。
【００３５】
さらに、吸込具本体２１の下面側には、被清掃面をスムーズに移動できるように車輪２７ａ、２７ｂが設けられている。車輪２７ａ、２７ｂには横滑りさせる動きも想定して、適度な摺動性を持たせている。
【００３６】
前述のように、吸込具本体２１には各種部材が内包、または取付けられているが、それら部材の中でモーター３７が最も重量のある部材である。モーター３７は図７に示す吸込具本体２１の長手方向の中心を通る中心線で、左右に重量バランスがとれる位置に配置されているので、モーター３７の重心は中心線上になる。
なお、図７の中心線は、図３（ａ）に示すＡ−Ａ断面を切断する線と同じ線である。
【００３７】
前述のように、最も重量のあるモーター３７が吸込具本体２１の長手方向の中心を通る中心線で、左右に重量バランスがとれる位置に配置されているので、吸込具本体２１の長手方向左右のバランスもほぼ均衡するようになる。
【００３８】
また、モーター３７は吸込具本体２１の中心線上において、進行方向から見て後方に内包されているので、吸込具本体２１の重心も後方となる。
【００３９】
図５に示すように継手管２２は、硬質の樹脂素材で形成され中空構造の回動部２３と接続部２４で構成されている。回動部２３は接続部２４と回動可能に接続されており、この回動の説明は後述する。
【００４０】
継手管２２の回動部２３には、図５に示すように回動軸部３３ａと３３ｂが設けられている。回動軸部３３ａと３３ｂは、継手管２２を吸込具本体２１に回動自在に連結するために設けられており、回動軸部３３ａが図５に示す吸込具本体２１の連通口３６ａと、回動軸部３３ｂが、連通口３６ａと対向する面に設けられた仮想線で表す連通口３６ｂと連結される。
【００４１】
回動軸部３３ａと３３ｂは、図８に示すように吸込具本体２１の上ケース３０に設けられた上ケース半円形状部４３ａと上ケース半円形状部４３ｂにそれぞれ収められ、ケース３２を取り付けることで、カバー３２に設けられたカバー半円形状部４２ａと、カバー半円形状部４２ａと対向する面に設けられた仮想線で表すカバー半円形状部４２ｂで挟まれて、回動自在に連結される。
【００４２】
なお、前述した連通口３６ａ及び３６ｂは、上ケース３０とカバー３２が取り付けられたときに、上ケース半円形状部４３ａとカバー半円形状部４２ａ、上ケース半円形状部４３ｂとカバー半円形状部４２ｂがそれぞれ組み合わされた状態を表している。
【００４３】
図９（ａ）に示すように、継手管２２の回動部２３に設けられた回動軸部３３ａと図９（ａ）、（ｂ）では図示しない回動軸部３３ｂとの２者によって、吸込具本体２１は吸込具本体２１の中心線（図７参照）において、モーター３７よりも進行方向側、言い換えると前方で回動自在に連結されている。
【００４４】
前述の通りモーター３７の配置位置により吸込具本体２１の重心は進行方向から見て後方にあるので、図９（ａ）のように吸込具１を被清掃面に置いた状態から、図９（ｂ）のように吸込具１を持ち上げると、回動軸部３３ａと回動軸部３３ｂを軸心として吸込具本体２１の進行方向において、その前方（先端）側が上がり、逆に後方側が下がるように自動的に回動して傾斜する。
【００４５】
吸込具１を持ち上げると、後方側が下がる（前方側が上がる）ように回動して傾斜するので、再び吸込具１を被清掃面に戻すと、吸込具本体２１の進行方向から見て後方に設けられた車輪２７ａと図９（ａ）、（ｂ）では図示しない車輪２７ｂが、先に被清掃面に接触することになる。
【００４６】
前述のように、吸込具本体２１の長手方向のバランスは均衡しているため、吸込具本体２１の長手方向の先端が先突きすることはない。
【００４７】
よって、吸込具１が継手管２２の接続部２４によって、図１に示すように延長管２、把持部３、ホース体５を介して電気掃除機本体６と接続された状態で、使用者が被清掃面から吸込具１を持ち上げ、再び吸込具１を被清掃面に戻すときに、必ず吸込具本体２１の後方側から被清掃面に接触するので、吸込具１の前端が被清掃面に先突きすることがなくなり、フローリングの表面を傷付ける可能性を低減できる。また、被清掃面がカーペットである場合、カーペットに前端が引っ掛かりにくくなるので使用者が操り易く、手首に掛かる負担を軽減できる。
【００４８】
次に、図１０、図１１及び前出の図により空気の流れを説明する。
図１０は本発明の実施の形態１に係る電気掃除機の吸込具から回転ブラシを取り外した状態を下面方向から見た図、図１１は本発明の実施の形態１に係る電気掃除機の吸込具の空気の流れを表した模式図である。
なお、ここでは、図１に示すように吸込具１は延長管２、把持部３、ホース体５を介して電気掃除機本体６と接続されているものとして説明する。
【００４９】
図１０は本発明の実施の形態１に係る電気掃除機の吸込具１から回転ブラシを取り外した状態を下面方向から見た図であるが、吸込具本体２１の下面部開口２５の奥に、吸引風の入り口側の開口である通風口４１ａと４１ｂが設けられている。
【００５０】
通風口４１ａと４１ｂは図７に示すように下ケース３１に形成され、図７に示す吸込具本体２１の長手方向の中心を通る中心線の左右両側位置に、ほぼ同一面積で、且つ吸込具本体２１の進行方向から見てモーター３７の外郭と重ならない位置に設けられていて、把持部３に設けられた操作部４からの入力で電動送風機１０の駆動が開始されると、吸引風が発生し、吸い込まれた塵埃を含んだ空気が、下面部開口２５を経由し通風口４１ａと４１ｂに吸い込まれる。
【００５１】
吸い込まれた塵埃を含んだ空気は、下ケース３１に形成された通風口４１ａと４１ｂを通過し、上ケース３０とカバー３２で構成され下面部開口２５と連通した、第１の空気の流れが流通する図示しない第１の風路と、第２の空気の流れが流通する図示しない第２の風路を通過する。
【００５２】
図５及び図９に示すように回動軸部３３ａには、回動軸部を通気可能にするための回動軸部通気口３５ａが、同様に回動軸部３３ｂには回動軸部通気口３５ｂが、それぞれ設けられていて、第１の風路を通過した第１の空気の流れは、連通口３６ａに連結された継手管２２の回動部２３に設けられた回動軸部３３ａの回動軸部通気口３５ａに流通し、同様に第２の風路を通過した第２の空気の流れは、連通口３６ｂに連結された継手管２２の回動部２３に設けられた回動軸部３３ｂの回動軸部通気口３５ｂに流通する。
【００５３】
その後、第１の空気の流れと第２の空気の流れは、図１１に示すようにモーター３７の上方にある中空構造の回動部２３内で合流して全体の空気の流れとして電気掃除機本体６に吸引されるようになっている。
【００５４】
前述のように、本発明の実施の形態１に係る電気掃除機の吸込具１では、吸込具本体２１の進行方向から見てモーター３７の外郭と重ならない位置に２つの風路を設けて吸引するようにしている。
【００５５】
これは、従来の電気掃除機の吸込具のように、吸込具本体６０の中央部付近から塵埃を含んだ空気を吸い込んで、継手管２２の前方から電気掃除機本体６に吸引するような構造にすると、図１２に示すように風路が狭くなり吸引性能が低下する、という問題があるためである。
【００５６】
また、中央部付近から空気を吸い込むと中央部付近で真空度が高くなるため、吸込具の両端に近い箇所と中央部付近で真空度のバランスが悪くなり、吸込具の両端に近い箇所の吸引力が低下する、という問題があるためである。
【００５７】
本発明の実施の形態１に係る電気掃除機の吸込具１は、２つの風路を設けて吸引するようにしているので、中央部付近から空気を吸い込む従来の吸込具に比べて中央部付近に真空度の高い箇所が偏ることなく、２つの風路の開口である通風口４１ａと４１ｂにより、下面部開口２５全体の真空度が均一化される。
【００５８】
よって、真空度のバランス悪化が低減され、吸込具１の両端に近い箇所の吸引力の低下が抑制できるので、吸込具１の両端に近い箇所でも塵埃が吸引でき、全体的な塵埃の吸引力が向上する。
【００５９】
それから、吸込具本体６０の中央部付近から塵埃を含んだ空気を吸い込んで、継手管２２の前方から電気掃除機本体６に吸引するような構造で風路が狭くならないようにするには、吸込具本体６０の高さを高くすれば風路を確保することができるが、意匠性が著しく損なわれることになり、また、高さが高くなることで樹脂材料の使用量が増えて重くなり、使用者が取り扱いにくくなる等して現実的ではない。
【００６０】
よって、本発明の実施の形態１に係る電気掃除機の吸込具１では、吸込具本体２１の進行方向から見てモーター３７の外郭と重ならない位置に２つの風路を設けて吸引するようにすることで、吸引性能を低下させない、意匠性を損なわない、使用者が取り扱いにくくならない、ということを実現できる。
【００６１】
次に、使用者の取り扱いの中の一つとして、家具と壁との隙間等を掃除する場合がある。このときには、図１３のように接続部２４が吸込具本体２１と平行になるように、図１４に示す接続部２４と回動部２３を回動可能に接続する回動部４４で回動させ、アルファベットのＩの字の様な状態として、吸込具１を隙間掃除のときの進行方向へ動かす様になる。
【００６２】
このようにアルファベットのＩの字の様な状態の場合においても、吸込具１を持ち上げると、後方側が下がる（前方側が上がる）ように回動して傾斜するので、再び吸込具１を被清掃面に戻すと、吸込具本体２１の進行方向から見て後方に設けられた車輪２７ａと車輪２７ｂが、先に被清掃面に接触することになる。
【００６３】
前述した通り（段落００３５参照）、車輪２７ａ、２７ｂには横滑りさせる動きも想定して、適度な摺動性を持たせている。よって、車輪２７ａと車輪２７ｂが、先に被清掃面に接触することで、図１３に示す隙間掃除のときの進行方向へ吸込具１を動かし易くなる。
【００６４】
また、吸込具１の前端が被清掃面に先突きすることがないので、アルファベットのＩの字の様な状態の場合においても、Ｔの字のときと同様にフローリングの表面を傷付ける可能性を低減できる。
【００６５】
さらに、アルファベットのＩの字の様な状態で吸込具１を動かすときは、使用者が操作する把持部３から延長管２を経て接続部２４で接続される吸込具１は、図１３に示す接続部２４の辺りに使用者の力が掛るので、車輪２７ａ、２７ｂが配置されている後方側が浮いてガタつくことがある。
【００６６】
しかし、本発明の実施の形態１に係る電気掃除機の吸込具１では、モーター３７が吸込具本体２１の進行方向から見て後方に内包されていることにより、吸込具本体２１の重心は進行方向から見て車輪２７ａ、２７ｂが配置されている後方となるので、使用者が掛ける力に吸込具本体２１の後方に掛る重心が対抗して後方側が浮くことなく、ガタつきが抑制でき操作しやすい。
【００６７】
なお、図１２に示す隙間掃除のときの進行方向は、接続部２４を図１２に示す向きに回動させた例で説明しているが、接続部２４を図１２に示す方向と逆向きに回動させれば、吸込具１の隙間掃除のときの進行方向は、図１２に示す方向と１８０度逆の方向となる。
【００６８】
以上のように本発明の実施の形態１に係る電気掃除機の吸込具によれば、吸込具本体の重心が進行方向から見て後方になるようにモーターを配置し、吸込具本体と継手管をモーターよりも前方で回動自在に連結したので、Ｔの字、Ｉの字いずれの状態であっても、使用者が被清掃面から吸込具を持ち上げ、再び吸込具を被清掃面に戻すときに、必ず吸込具本体の後方側から被清掃面に接触し、吸込具の前端が被清掃面に先突きすることがなく、フローリングの表面を傷付ける可能性を低減できる。
【００６９】
また、被清掃面がカーペットである場合、カーペットに前端が引っ掛かり難くなるので使用者が操り易くなり、手首に掛かる負担を軽減できる。
【００７０】
さらに、吸込具本体の進行方向から見てモーターの外郭と重ならない位置に２つの風路を設けて吸引するようにしたので、風路が狭くなることがなく吸引性能を確保することができ、従来の吸込具に比べて中央部付近に真空度の高い箇所が偏ることがなく、真空度のバランス悪化が低減され、吸込具の両端に近い箇所でも塵埃が吸引でき、全体的な塵埃の吸引力が向上する。
【００７１】
それから、吸込具本体の進行方向から見てモーターの外郭と重ならない位置に２つの風路を設けて吸引するようにしたので、吸込具本体の高さを高くする必要がなく、意匠性が確保でき、重くならないので使用者の取り扱い易さも確保できる。
【符号の説明】
【００７２】
１  吸込具、２  延長管、３  把持部、４  操作部、５  ホース体、６  電気掃除機本体、７  接続口、８  ハンドル、９  集塵部、１０  電動送風機、１１  制御基板、２１  吸込具本体、２２  継手管、２３  回動部、２４  接続部、２５  下面部開口、２６  回転ブラシ、２７ａ  車輪、２７ｂ  車輪、２８  スイッチ、２９  ダンパー、３０  上ケース、３１  下ケース、３２  カバー、３３ａ  回動軸部、３３ｂ  回動軸部、３５ａ  回動軸部通気口、３５ｂ  回動軸部通気口、３６ａ  連通口、３６ｂ  連通口、３７  モーター、３８  ベルト、３９  ベルト、４０  プーリー連結軸、４１ａ  通風口、４１ｂ  通風口、４２ａ  カバー半円形状部、４２ｂ  カバー半円形状部、４３ａ  上ケース半円形状部、４３ｂ  上ケース半円形状部、４４  回動部、４５  ギア、４６  プーリー、４７  プーリー、４８  ギア、６０  吸込具本体、６１  継手管、１００  電気掃除機。
【図１】
2015167664.tif 000003
【図２】
2015167664.tif 000004
【図３】
2015167664.tif 000005
【図４】
2015167664.tif 000006
【図５】
2015167664.tif 000007
【図６】
2015167664.tif 000008
【図７】
2015167664.tif 000009
【図８】
2015167664.tif 000010
【図９】
2015167664.tif 000011
【図１０】
2015167664.tif 000012
【図１１】
2015167664.tif 000013
【図１２】
2015167664.tif 000014
【図１３】
2015167664.tif 000015
【図１４】
2015167664.tif 000016